(57)【要約】無線リソースの利用効率を低下させない通信システム、基地局、上位ノード及び通信方法を提供することを目的とする。本発明にかかる通信システムは、基地局（１０）と、基地局（１０）と通信する上位ノード（４０）とを有する通信システムでる。通信システムに含まれる基地局（１０）は、上位ノード（４０）から送信されるページングメッセージを他の基地局に送信することができるか否かを示す設定情報を上位ノード（４０）に送信する。さらに上位ノード（４０）は、基地局（１０）から設定情報を受信する。
2014030274.tif 000002
【特許請求の範囲】
【請求項１】
基地局と、前記基地局と通信する上位ノードとを有する通信システムであって、
前記基地局は、
前記上位ノードから送信されるページングメッセージを他の基地局に送信することができるか否かを示す設定情報を前記上位ノードに送信し、
前記上位ノードは、
前記基地局から前記設定情報を受信する、通信システム。
【請求項２】
前記基地局は、
起動する際に前記設定情報を前記上位ノードへ送信する、請求項１に記載の通信システム。
【請求項３】
前記基地局は、
隣接する前記他の基地局に関する情報を含む隣接基地局リスト情報を前記上位ノードに送信する、請求項１又は２に記載の通信システム。
【請求項４】
前記隣接基地局リスト情報は、前記他の基地局が属する位置登録エリア情報を含む、請求項３に記載の通信システム。
【請求項５】
前記基地局は、
搭載されるソフトウェアをアップグレードすることにより前記設定情報に示される情報が変更された場合、前記変更された設定情報を前記上位ノードへ送信する、請求項１乃至４のいずれか１項に記載の通信システム。
【請求項６】
前記上位ノードは、
前記基地局から受信した前記設定情報に基づいて、前記ページングメッセージを前記他の基地局へ送信させるか否かを示すページング制御情報を生成し、前記ページング制御情報を前記基地局へ送信する、請求項１乃至５のいずれか１項に記載の通信システム。
【請求項７】
前記上位ノードは、
前記基地局から受信した前記設定情報に前記上位ノードから送信されるページングメッセージを他の基地局に送信することができることが示されている場合、前記ページングメッセージを前記他の基地局へ送信させることを示すページング制御情報を前記基地局へ送信する、請求項６に記載の通信システム。
【請求項８】
前記上位ノードは、
前記基地局から受信した前記設定情報に前記上位ノードから送信されるページングメッセージを他の基地局に送信することができないことが示されている場合、前記ページングメッセージを前記他の基地局へ送信させないことを示すページング制御情報を前記基地局へ送信する、請求項６又は７に記載の通信システム。
【請求項９】
前記上位ノードは、
前記基地局から受信した前記設定情報に前記上位ノードから送信されるページングメッセージを他の基地局に送信することができないことが示されている場合、前記ページングメッセージを同一の位置登録エリアに属する全ての基地局に送信する、請求項８に記載の通信システム。
【請求項１０】
基地局装置と、前記基地局装置と通信するユーザ装置と、前記基地局装置と通信する上位ノードと、を有する通信システムであって、
前記上位ノードは、
前記ユーザ装置あてのページングメッセージを前記基地局装置とは異なる他の基地局装置へ送信させるか否かを示すページング制御情報を前記基地局装置に送信し、
前記基地局装置は、
前記上位ノードから前記ページング制御情報を受信する、通信システム。
【請求項１１】
前記上位ノードから前記基地局装置へ送信される前記ページングメッセージは、前記ページングメッセージを送信する位置登録エリア情報を含む、請求項１０に記載の通信システム。
【請求項１２】
前記ページングメッセージは、さらに前記ページングメッセージを送信した基地局装置に関する情報を含む請求項１１に記載の通信システム。
【請求項１３】
上位ノードと通信する基地局であって、
前記上位ノードから送信されるページングメッセージを他の基地局に送信することができるか否かを示す設定情報を前記上位ノードに送信する通信手段を備える、基地局。
【請求項１４】
前記通信手段は、
自装置を起動する際に、前記設定情報を前記上位ノードへ送信する、請求項１３に記載の基地局。
【請求項１５】
前記通信手段は、
隣接する前記他の基地局に関する情報を含む隣接基地局リスト情報を前記上位ノードに送信する、請求項１３又は１４に記載の基地局。
【請求項１６】
前記隣接基地局リスト情報は、前記他の基地局が属する位置登録エリア情報を含む、請求項１５に記載の基地局。
【請求項１７】
前記通信手段は、
自装置に搭載されるソフトウェアをアップグレードすることにより前記設定情報に示される情報が変更された場合に、前記変更された設定情報を前記上位ノードへ送信する、請求項１３乃至１６のいずれか１項に記載の基地局。
【請求項１８】
基地局と通信する上位ノードであって、
前記上位ノードから前記基地局へ送信されたページングメッセージを他の基地局に送信することができるか否かを示す設定情報を前記基地局から受信する通信手段を備える、上位ノード。
【請求項１９】
前記設定情報に基づいて、前記ページングメッセージを前記他の基地局へ送信させるか否かを示すページング制御情報を生成する制御手段をさらに備え、
前記通信手段は、
前記ページング制御情報を前記基地局へ送信する、請求項１８に記載の上位ノード。
【請求項２０】
前記制御手段は、
前記基地局から受信した前記設定情報に前記上位ノードから送信されるページングメッセージを他の基地局に送信することができることが示されている場合、前記ページングメッセージを前記他の基地局へ送信させることを示すページング制御情報を生成する、請求項１９に記載の上位ノード。
【請求項２１】
前記基地局から受信した前記設定情報に前記上位ノードから送信されるページングメッセージを他の基地局に送信することができないことが示されている場合、前記ページングメッセージを前記他の基地局へ送信させないことを示すページング制御情報を生成する、請求項１９又は２０に記載の上位ノード。
【請求項２２】
前記通信手段は、
前記基地局から受信した前記設定情報に前記上位ノードから送信されるページングメッセージを他の基地局に送信することができないことが示されている場合、前記ページングメッセージを同一の位置登録エリアに属する全ての基地局に送信する、請求項２１に記載の上位ノード。
【請求項２３】
基地局と通信する上位ノードであって、
ユーザ装置宛てのページングメッセージを前記基地局とは異なる他の基地局へ送信させるか否かを示すページング制御情報を前記基地局へ送信する、上位ノード。
【請求項２４】
前記基地局へ送信するページングメッセージに、前記ページングメッセージを送信する位置登録エリア情報を含む、請求項２３に記載の上位ノード。
【請求項２５】
前記ページングメッセージは、さらに前記ページングメッセージを送信した基地局に関する情報を含む、請求項２４に記載の上位ノード。
【請求項２６】
上位ノードから送信されるページングメッセージを他の基地局に送信することができるか否かを示す設定情報を生成し、
前記設定情報を前記上位ノードに送信する、通信方法。
【請求項２７】
前記設定情報に基づいて、前記ページングメッセージを他の基地局に送信させるか否かを示すページング制御情報を基地局へ送信する、請求項２６に記載の通信方法。
【請求項２８】
ユーザ装置宛てのページングメッセージを受信する基地局に、前記基地局とは異なる他の基地局へ前記ページングメッセージを送信させるか否かを示すページング制御情報を生成し、
前記ページング制御情報を前記基地局へ送信する、通信方法。
【請求項２９】
基地局と、前記基地局と通信する上位ノードと、を有する通信システムであって、
前記上位ノードは、
ページングメッセージを前記基地局に送信し、
前記基地局は、
前記上位ノードから前記ページングメッセージを受信し、
前記ページングメッセージは、
前記ページングメッセージの送信先である基地局を少なくとも一つ含むリストを有
する、通信システム。
【請求項３０】
基地局と、前記基地局と通信する上位ノードと、を有する通信システムであって、
前記上位ノードは、
ページングメッセージを前記基地局に送信し、
前記基地局は、
前記上位ノードから前記ページングメッセージを受信し、
受信した前記ページングメッセージを他の基地局に送信し、
前記基地局から前記他の基地局に送信されるページングメッセージは、
前記ページングメッセージの送信先である基地局を少なくとも一つ含むリストを有
する、通信システム。
【発明の詳細な説明】
【技術分野】
【０００１】
本発明は、上位ノードが移動端末を呼び出すための呼び出し処理（ページング処理）に関する。
【背景技術】
【０００２】
図２８に示されるように、LTE（Long Term Evolution）のアーキテクチャにおいて、RANノードであるeNB６０１〜６０４は、コアネットワークに属するノードであるMME（Mobility Management Entity）６１０とS-GW(Serving Gateway)６２０とに接続されている。アイドル状態のUE（User Equipment）に着信データが送信された場合、例えば、図２９に示されるようなシーケンスが動作する。具体的には、MME６１０は、S-GW６２０からDownlink Data Notificationを受信すると、eNB６０１〜６０４へページングメッセージを送信する。このとき、MME６１０は、UEの最新の位置登録したエリアにあるeNBへPagingを送信する。【０００３】
ここで、UEが位置登録したエリアは、TA（Tracking Area）で表される。TAは論理的な位置を示す識別子（ID）であり、地域やトラヒック条件によって、オペレータが自由にそのカバーするエリアの大きさを決められる。一般的にはある一つのTAのカバーするエリアが大きければ、その配下のeNB数も多くなる傾向がある。また、アイドル時のUEが同じTAに属するeNB間に移動しても、位置登録は不要である。つまり、TAのカバーするエリアを大きくすることによって、UEがeNB間を移動する際に生じる位置登録に関する信号の数を抑えることができる。【０００４】
まとめると、UEあての着信が発生したとき、MMEは、そのUEが位置する最新のTAがカバーするエリアにページングメッセージを送信する。【０００５】
図２９は、説明を簡単にするため例として４つのeNBを示しているが、一般的にはTAのカバーするエリアには、例えば数百個〜千個のeNBが存在する場合がある。このような場合、MMEは、全部のeNBにページングメッセージを送信することになる。すなわち、MMEは、極めて少ない時間内に数百個〜千個のeNBへページングメッセージを送信しなければならない。結果、MMEのページングメッセージの処理にかかる負荷が急激に増える。【０００６】
非特許文献１には、MMEでの処理負荷を軽減するために、ある一つや複数の適切なeNBがMMEからページングメッセージを受信すると、ページングメッセージを受信したeNBは、MMEに代行して近隣のeNBへページングメッセージを送信するようなページング最適化（Paging Optimization）に関する提案が開示されている。非特許文献１にかかる提案は、３GPP(3rd Generation Partnership Project)において議論されている。この例を図３０に示す。【０００７】
図３０には、eNB６０１がMMEからPagingを受信すると、MME６１０に代行して近隣のeNB６０２〜６０４へページングメッセージを送信することが示されている。
【先行技術文献】
【非特許文献】
【０００８】
【非特許文献１】3GPP TSG RAN WG3 Meeting#51 R3-060151"Transferring a paging request message" February 2006
【発明の概要】
【発明が解決しようとする課題】
【０００９】
しかし、このページング最適化に関する仕様は、まだ詳細には検討されていない。本件の発明者は、上記ページング最適化について、少なくとも下記の問題が生じることを発見した。【００１０】
まず、MMEが通常のようにTA配下のすべてのeNBにページングメッセージを送信する場合に問題が生じる。この場合、所定のeNBは、MMEから送信されたページングメッセージをMMEに代行して近隣eNBに送信する。この結果、一つのeNBが複数の同じページングメッセージ（MMEからのページングメッセージとeNBからのページングメッセージ）を受信し、このeNBが二つのページングメッセージを無線回線に送信することになる。この結果、貴重な無線リソースが無駄に使用されることになる（図３１参照）。つまり、無線リソースの利用効率が下がるという問題がある。【００１１】
さらに、eNBがMMEに代行してページングメッセージを近隣eNBへ出さない場合にも問題が生ずると考えられる。例えば、MMEが所定のeNBのみにページングメッセージを送信する。次に、このeNBがMMEからのページングメッセージを近隣eNBに送信しないとすると、この近隣eNBの配下のUEはページングメッセージを受信することができない（図３２参照）。つまり、ページングメッセージを受信し損ねるeNBが生じてしまう。上述したように、これら問題の根本的な原因は、MMEは、eNBがMMEに代行してページングメッセージを近隣eNBに出すことができるかどうかを、知ることができないことである。【００１２】
本発明では、上記問題の一つまたは複数に対処するために、通信システム、基地局、上位ノード及び通信方法を提供することを目的としている。
【課題を解決するための手段】
【００１３】
本発明の第１の態様にかかる通信システムは、基地局と、前記基地局と通信する上位ノードとを有する通信システムであって、前記基地局は、前記上位ノードから送信されるページングメッセージを他の基地局に送信することができるか否かを示す設定情報を前記上位ノードに送信し、前記上位ノードは、前記基地局から前記設定情報を受信するものである。【００１４】
本発明の第２の態様にかかる基地局は、上位ノードと通信する基地局であって、前記上位ノードから送信されるページングメッセージを他の基地局に送信することができるか否かを示す設定情報を前記上位ノードに送信する通信部を備えるものである。【００１５】
本発明の第３の態様にかかる上位ノードは、基地局と通信する上位ノードであって、前記上位ノードから前記基地局へ送信されたページングメッセージを他の基地局に送信することができるか否かを示す設定情報を前記基地局から受信する通信部を備えるものである。【００１６】
本発明の第４の態様にかかる通信方法は、上位ノードから送信されるページングメッセージを他の基地局に送信することができるか否かを示す設定情報を生成し、前記設定情報を前記上位ノードに送信するものである。
【発明の効果】
【００１７】
本発明により、無線リソースの利用効率を低下させない通信システム、基地局、上位ノード及び通信方法を提供することができる。
【図面の簡単な説明】
【００１８】
【図１】実施の形態１にかかる通信システムの構成図である。
【図２】実施の形態１にかかる基地局の構成図である。
【図３】実施の形態１にかかる上位ノードの構成図である。
【図４】実施の形態２にかかる通信システムの構成図である。
【図５】実施の形態２にかかる上位ノードの構成図である。
【図６】実施の形態２にかかる基地局の構成図である。
【図７】実施の形態２にかかる移動端末の構成図である。
【図８】実施の形態３にかかる通信システムの構成図である。
【図９】実施の形態３にかかるeNB及びMMEの構成図である。
【図１０】実施の形態３にかかる設定情報の送信処理の流れを示す図である。
【図１１】実施の形態３にかかるS1 Setup Requestの構成図である。
【図１２】実施の形態３にかかるENB CONFIGURATION UPDATEの構成図である。
【図１３】実施の形態４にかかる通信システムの構成図である。
【図１４】実施の形態４にかかるページングメッセージの送信手順を示す図である。
【図１５】実施の形態４にかかるページングメッセージの構成図である。
【図１６Ａ】実施の形態５にかかるS1 Setup Requestの送信手順を示す図である。
【図１６Ｂ】実施の形態５にかかるページングメッセージの送信手順を示す図である。
【図１７】実施の形態５にかかるS1 Setup Requestの構成図である。
【図１８】実施の形態５にかかるENB CONFIGURATION UPDATEの構成図である。
【図１９】実施の形態６にかかるページングメッセージの送信手順を示す図である。
【図２０】実施の形態６にかかるページングメッセージの構成図である。
【図２１】実施の形態７にかかる通信システムの構成図である。
【図２２】実施の形態７にかかるページングメッセージの送信手順を示す図である。
【図２３】実施の形態８にかかる通信システムの構成図である。
【図２４】実施の形態８にかかるページングメッセージの送信手順を示す図である。
【図２５】実施の形態９にかかる通信システムの構成図である。
【図２６】実施の形態９にかかる通信システムの構成図である。
【図２７】実施の形態１０にかかる通信システムの構成図である。
【図２８】一般的なLTEにおける通信システムの構成図である。
【図２９】一般的なページングメッセージの送信手順を示めす図である。
【図３０】一般的なページングメッセージの送信手順を示めす図である。
【図３１】一般的なページングメッセージの送信手順を示めす図である。
【図３２】一般的なページングメッセージの送信手順を示めす図である。
【発明を実施するための形態】
【００１９】
（実施の形態１）
以下、図面を参照して本発明の実施の形態について説明する。図１を用いて本発明の実施の形態１にかかる通信システムの構成例について説明する。図１の通信システムは、基地局１０及び上位ノード２０を有している。上位ノード２０は、基地局１０と通信を行う。上位ノード２０は、例えば複数の基地局を集約する装置であり、基地局とコアネットワークに属する装置との間の通信を中継してもよい。
【００２０】
上位ノード２０は、基地局１０の配下に存在する移動局宛てのデータを受信した場合に、移動局を呼び出すために基地局１０を介して移動局に対してページングメッセージを送信する。通常、上位ノード２０は、目的とする移動局を呼び出すために、所定のエリア（例えば、TA）に存在する複数の基地局に対してページングメッセージを送信する。複数の基地局に対してページングメッセージを送信する方法として、上位ノードが複数の基地局に対してページングメッセージを送信する方法と、上位ノードからページングメッセージを受信した基地局が、近隣の他の基地局に対してページングメッセージを送信する方法とがある。
【００２１】
基地局１０は、上位ノード２０から送信されるページングメッセージを他の基地局に送信することができるか否かを示す設定情報を上位ノード２０に送信する。さらに、上位ノード２０は、基地局１０から送信された設定情報を受信する。通信システム内には、複数の基地局が存在するが、全ての基地局が上位ノード２０から送信されるページングメッセージを他の基地局に送信することができるとは限らない。そのため、基地局は、上述したように設定情報を上位ノード２０に送信し、上位ノード２０は、ページングメッセージの宛先である基地局が、ページングメッセージを他の基地局に送信することができるか否かを設定情報に基づいて判定する。
【００２２】
続いて、図２を用いて本発明の実施の形態１にかかる基地局１０の構成例について説明する。基地局１０は、制御部１１及び通信部１２を有している。制御部１１は、設定情報を上位ノード２０へ送信することを指示する指示メッセージを通信部１２へ出力する。設定情報は、上位ノード２０から送信されるページングメッセージを他の基地局に送信することができるか否かを示す情報である。もしくは、制御部１１は、設定情報を生成し、生成した設定情報を通信部１２へ出力してもよい。
【００２３】
通信部１２は、制御部１１から指示メッセージを受け取ると、上位ノード２０に対して設定情報を送信する。この場合、設定情報は、あらかじめ通信部１２において保持されていてもよく、もしくは設定情報を格納する記憶部（図示せず）等から通信部１２へ出力されてもよい。もしくは、通信部１２は、制御部１１から設定情報を受け取ると受け取った設定情報を上位ノード２０へ送信してもよい。
【００２４】
続いて、図３を用いて本発明の実施の形態１にかかる上位ノード２０の構成例について説明する。上位ノード２０は、制御部２１及び通信部２２を有している。通信部２２は、基地局１０から送信される設定情報を受信する。制御部２１は、設定情報の送信元である基地局１０の設定情報をメモリ等へ記憶する。通信部２２において複数の基地局から設定情報を受信した場合、メモリ等には複数の基地局の設定情報が記憶される。
【００２５】
以上説明したように、本発明の実施の形態１にかかる基地局１０は、上位ノード２０から送信されるページングメッセージを他の基地局に送信することができるか否かを示す設定情報に関する自局の情報を上位ノード２０へ通知することができる。さらに、上位ノード２０は、基地局１０から送信される設定情報に基づいて、基地局１０がページングメッセージを他の基地局に送信することができるか否かを知ることができる。
【００２６】
（実施の形態２）
続いて、図４を用いて本発明の実施の形態２にかかる通信システムの構成例について説明する。
【００２７】
本図の通信システムは、基地局１０、基地局４０、上位ノード２０及び移動端末５０を有している。また、基地局１０及び基地局４０は、相互に通信を行うことができるように構成されている。移動端末５０は、基地局１０もしくは基地局４０の形成するセルエリアに在圏している。さらに、上位ノード２０は、移動端末５０を宛先とするデータを受信し、移動端末５０を呼び出すためにページングメッセージをページング最適化指示とともに基地局１０へ送信する。ページング最適化指示は、上位ノード２０から基地局１０に対して送信するページングメッセージを他の基地局へ送信させる指示である。
【００２８】
図５の上位ノード２０は、基地局１０に対してページング最適化指示を送信することを示している。制御部２１は、通信部２２に対してページング最適化指示の送信を指示する。通信部２２は、制御部２１からの指示に基づいてページング最適化指示を基地局１０へ送信する。
【００２９】
続いて、図６を用いて本発明の実施の形態２にかかる基地局１０の構成例について説明する。基地局４０は、基地局１０と同様の構成であるため詳細な説明を省略する。基地局１０は、制御部１１、通信部１２、上位ノードインターフェース１３及び基地局インターフェース１４を有している。制御部１１及び通信部１２は、図２の基地局１０において説明した制御部１１及び通信部１２と同様であるため、同一の符号を付して説明する。
【００３０】
上位ノードインターフェース１３は、上位ノード２０との間の通信に用いられるインターフェースである。通信部１２は、上位ノードインターフェース１３を介して上位ノード２０からページング最適化指示を受信する。
【００３１】
制御部１１は、通信部１２が上位ノード２０から受信したページング最適化指示に基づき、他の基地局に上位ノード２０から送信されるページングメッセージを送信することを通信部１２に指示する。ページングメッセージの送信先である他の基地局は、例えば基地局４０である。
【００３２】
基地局インターフェース１４は、基地局４０との間の通信に用いられるインターフェースである。通信部１２は、上位ノード２０から送信されるページングメッセージを基地局インターフェース１４を介して基地局４０へ送信する。また、基地局インターフェース１４は、基地局４０以外にも複数の基地局との間の通信に用いられてもよい。この場合、通信部１２は、上位ノード２０から送信されるページングメッセージを基地局インターフェース１４を介して複数の基地局へ送信してもよい。
【００３３】
通信部１２は、基地局１０が形成するセルエリアに在圏する移動端末宛にページングメッセージを送信する。基地局１０が形成するセルエリアに移動端末５０が在圏している場合、通信部１２と移動端末５０との間に無線回線が設定される。同様に、基地局４０においても基地局４０が形成するセルエリアに在圏する移動端末宛にページングメッセージを送信する。そのため、基地局４０が形成するセルエリアに移動端末５０が在圏している場合、基地局４０の通信部と移動端末５０との間に無線回線が設定される。
【００３４】
続いて、図７を用いて本発明の実施の形態２にかかる移動端末５０の構成例について説明する。移動端末５０は、制御部５１及び通信部５２を有している。通信部５２は、基地局１０もしくは基地局４０から送信される無線信号を受信するためにアンテナ５３を有している。通信部５２は、アンテナ５３を介して基地局１０もしくは基地局４０からページングメッセージを受信する。
【００３５】
制御部５１は、通信部５２が受信したページングメッセージが自局を宛先とするページングメッセージか否かを判断する。制御部５１は、通信部５２が受信したページングメッセージが、自局を宛先とするページングメッセージであると判断した場合、このページングメッセージに対する応答メッセージを基地局１０もしくは基地局４０へ送信することを通信部５２へ指示する。また、制御部５１は、通信部５２が受信したページングメッセージが、自局を宛先とするページングメッセージではないと判断した場合、応答メッセージの送信を指示しない。
【００３６】
通信部５２は、制御部５１から受信したページングメッセージに対する応答メッセージの送信を指示された場合、アンテナ５３を介して応答メッセージを基地局１０もしくは基地局４０へ送信する。
【００３７】
以上説明したように、本発明の実施の形態２にかかる上位ノード２０は、ページングメッセージを他の基地局に送信することを指示するページング最適化指示を基地局１０へ送信することができる。これによって、上位ノード２０は、基地局１０に対してページング最適化処理を実施すべきか否かを明示的に伝えることができる。また、基地局１０は、上位ノード２０からページング最適化指示を受け取ったか否かに応じてページングメッセージを他の基地局に送信すべきか否かを判断することができる。
【００３８】
本発明の実施の形態２は、実施の形態１と組み合わせて実施されてもよい。つまり、上位ノード２０は、ページングメッセージを他の基地局（例えば基地局４０）に送信することができることを示す設定情報を基地局１０から受信した場合に、ページング最適化指示を基地局１０へ送信するようにしてもよい。さらに、上位ノード２０は、ページングメッセージを他の基地局に送信することができないとする設定情報を基地局１０から受信した場合、ページング最適化指示を基地局１０へ送信しないようにしてもよい。この場合、基地局１０は、ページング最適化指示を受信していないため、他の基地局に対してページングメッセージを送信しない。もしくは、上位ノード２０は、ページングメッセージを他の基地局に送信することができないとする設定情報を基地局１０から受信した場合、ページング最適化を行わないことを指示するメッセージを基地局１０へ送信してもよい。
【００３９】
このように実施の形態１及び２を組み合わせて実施することにより、上位ノードは、ページング最適化をサポートする基地局に対してページング最適化指示を送信することができる。そのため、ページング最適化指示を受信した基地局が他の基地局へページングメッセージを送信しないことを防止することができ、全ての基地局へ確実にページングメッセージが行き届くことになる。
【００４０】
（実施の形態３）
続いて、図８を用いて、実施の形態１にかかる通信システムをLTE（Long Term Evolution）のアーキテクチャに適用した場合の構成例について説明する。図８のLTEにおけるアーキテクチャは、eNB（evolved Node B）１１０〜１４０、MME１５０、S-GW１６０、PDN-GW１７０、IP Service１８０及びUE１９０を有している。MME１５０、S-GW１６０及びPDN-GW１７０は、EPC（Evolved Packet Core）を構成し、eNB１１０〜１４０（eNB群）は、EUTRANを構成する。IP Service１８０は、通信事業者（オペレータ）がサービスを提供するために構成するサービスプラットフォームである。
【００４１】
LTEアーキテクチャにおいては、eNB１１０〜１４０及びMME１５０の間のインターフェースは、S1インターフェースと規定されている。同様に、eNB１１０〜１４０及びS-GW１６０の間のインターフェースも、S1インターフェースと規定されている。S-GW１６０及びPDN-GW１７０の間のインターフェースは、S5インターフェースと規定され、MME１５０及びS-GW１６０の間のインターフェースは、S11インターフェースと規定されている。さらに、eNB間のインターフェースは、X2インターフェースと規定されている。UE１９０及びeNBの間のインターフェースは、Uuインターフェースと規定されている。
【００４２】
なお、下記の説明において、eNBがMMEに代行して近隣eNBへ送信するページングメッセージをX2ページングメッセージとし、MMEからeNBへ送信するページングメッセージをS1ページングメッセージと称する。ここで、近隣eNBとは、X2インターフェースを介して接続されているeNBである。
【００４３】
続いて、図９を用いて本発明の実施の形態３にかかるeNB１１０及びMME１５０の構成例について説明する。なお、eNB１１０〜１４０は同様の構成であるため、図9においてはeNB１１０の構成例のみ説明し、eNB１２０〜１４０の説明は省略する。
【００４４】
eNB１１０は、MMEインターフェース１１１、コントローラ１１２及びメモリ１１３を有している。メモリ１１３は、eNB１１０がMME１５０に代行して近隣eNBへX2ページングメッセージを送信するページング最適化（Paging Optimization）を実施するかどうかを示す能力（Capability）に関する設定情報を記憶する。
【００４５】
MMEインターフェース１１１は、MME１５０との間（S1インターフェース）の通信を行うために用いられるインターフェースである。コントローラ１１２は、MMEインターフェース１１１を介して、eNB１１０がPaging Optimizationを実施するかどうかを示す能力（Capability）に関する設定情報をMME１５０へ送信する。
【００４６】
MME１５０は、eNBインターフェース１５１、コントローラ１５２及びメモリ１５３を有している。eNBインターフェース１５１及びMMEインターフェース１１１は、S1インターフェースを介して接続されている。コントローラ１５２は、eNBインターフェース１５１を介してeNB１１０から送信されたeNB１１０の設定情報を受信する。さらに、コントローラ１５２は、eNB１１０から受信した設定情報をメモリ１５３に記憶する。MME１５０は、eMB１１０以外にもeNB１２０〜１４０ともS1インターフェースを介して接続されている。そのため、メモリ１５３は、eNB１２０〜１４０の設定情報も記憶している。
【００４７】
続いて、図１０を用いてeNB１１０〜１４０からMME１５０へ設定情報を送信する処理の流れについて説明する。eNB１１０〜１４０は、それぞれスタートアップ（起動）（Ｓ１、Ｓ３、Ｓ５、Ｓ７）するとMME１５０へS1 Setup Requestを送信する（Ｓ２、Ｓ４、Ｓ６、Ｓ８）。
【００４８】
S1 Setup Requestには、それぞれのeNBが有する構成情報（Configuration）が含まれている。例えば、構成情報には、それぞれのeNBが属するTA（Tracking Area）及び通信システム内においてeNBを一意に識別するeNB-ID等が含まれる。
【００４９】
さらに、S1 Setup Requestには、Paging Optimization Support Indicatorが含まれる。Paging Optimization Support Indicatorは、eNBがPaging Optimizationをサポートするかどうかの能力（Capability）を示す。例えば、Paging Optimization Support IndicatorがTrueに設定されている場合、Paging Optimizationをサポートしていることを示し、Paging Optimization Support IndicatorがFalseに設定されている場合、Paging Optimizationをサポートしていないことを示す。True及びFalseは、Yes及びNo等におきかえられてもよい。
【００５０】
図１０は、eNB１１０〜１４０がPaging OptimizationをサポートしていることをMME１５０に通知することを示している。ここで、Paging Optimization Support Indicatorの名称は一例であり、例えばX2 Paging Support Indicatorという名称もしくはこのような名称に相応する名称であってもよい。
【００５１】
続いて、図１１を用いてPaging Optimization Support Indicatorが含まれるS1 Setup Requestの構成例について説明する。eNBがPaging Optimizationをサポートしている場合、S1 Setup RequestにPaging Optimization Support Indicatorの情報要素が設定される。eNBがPaging Optimizationをサポートしていない場合、S1 Setup RequestにPaging Optimization Support Indicatorの情報要素は設定されない。もしくは、eNBがPaging Optimizationをサポートしている場合、Paging Optimization Support IndicatorのIE type and referenceにENUMERATED（true）が設定され、eNBがPaging Optimizationをサポートしていない場合、Paging Optimization Support IndicatorのIE type and referenceにENUMERATED（false）が設定されてもよい。
【００５２】
続いて、図１２を用いてS1 Setup Requestとは異なるメッセージを用いてPaging Optimization Support Indicatorを通知する例について説明する。通常、eNBがスタートアップし動作している途中に、ソフトウェアのアップデートによってeNBにおいてサポートする機能等が変更されることがある。例えば、ソフトウェアアップデートを行うことにより、eNBにおいてPaging Optimizationがサポートされる場合がある。この場合、eNBは、ENB Configuration Updateを用いて、eNBがPaging OptimizationをサポートすることになったことをMME１５０へ通知してもよい。
【００５３】
図１２には、Paging Optimization Support Indicatorが含まれるENB Configuration Updateの構成例が示されている。ソフトウェアのアップデートによってeNBがPaging Optimizationをサポートすることとなった場合、ENB Configuration UpdateにPaging Optimization Support Indicatorの情報要素が設定される。もしくは、ソフトウェアのアップデートによってeNBがPaging Optimizationをサポートすることとなった場合、Paging Optimization Support IndicatorのIE type and referenceにENUMERATED（true）が設定されてもよい。
【００５４】
また、Paging Optimization Support Indicatorの情報要素が設定されない場合もしくはPaging Optimization Support IndicatorのIE type and referenceにENUMERATED（false）が設定された場合、eNBは、Paging Optimizationをサポートしない。ENB Configuration UpdateにおいてPaging Optimizationをサポートしないことを示す設定が行われる場合とは、例えば、ENB Configuration Updateを行う前の状態は、Paging Optimizationをサポートしていたが、ENB Configuration Updateを行った後にPaging Optimizationをサポートしなくなるという場合である。
【００５５】
以上説明したように、本発明の実施の形態３にかかる通信システムを用いることにより、LTEアーキテクチャにおいても、eNBが有する設定情報をMMEへ通知することができる。これにより、MMEは、eNBにおいてPaging Optimizationをサポートしているか否かを判断することができる。そのため、呼び出す対象となる移動端末が在圏する可能性のあるeNBに対してS1ページングメッセージ及びX2ページングメッセージを用いて確実にページングメッセージを通知することができるため、eNBにおいて、ページングメッセージを移動端末へ送信し損うことを防ぐことができる。
【００５６】
（実施の形態４）
続いて、図１３を用いて、実施の形態２にかかる通信システムをLTE（Long Term Evolution）のアーキテクチャに適用した場合の構成例について説明する。実施の形態４にかかる通信システムは、eNB１１０、eNB１２０及びMME１５０を有している。ここで、図９と同様の構成要素に関しては図９と同一の符号を付して説明する。
【００５７】
メモリ１５３は、ページング最適化指示に関する情報を記憶している。eNBインターフェース１５１は、S1インターフェースを介して接続されているeNBとの通信に用いられるインターフェースである。コントローラ１５２は、メモリ１５３に記憶されているページング最適化指示をeNBインターフェース１５１を介して所定のeNBに送信する。所定のeNBは、本図においてはeNB１１０とする。さらに、メモリ１５３は、eNB１１０に対してS1ページングメッセージも送信する。
【００５８】
eNB１１０は、MMEインターフェース１１１、コントローラ１１２、メモリ１１３、基地局インターフェース１１４及び通信部１１５を有している。MMEインターフェース１１１は、S1インターフェースを介して接続されているMME１５０との通信に用いられるインターフェースである。通信部１１５は、MMEインターフェースを介して受信したページング最適化指示をメモリ１１３へ記憶する。
【００５９】
基地局インターフェース１１４は、eNB１２０との間の通信に用いられるインターフェースである。通信部１１５は、MME１５０から送信されるS1ページングメッセージを基地局インターフェース１１４を介してeNB１２０へ送信する。また、基地局インターフェース１１４は、eNB１２０以外にも複数のeNBとの間の通信に用いられてもよい。この場合、通信部１１５は、MME１５０から送信されるS1ページングメッセージを基地局インターフェース１１４を介して複数のeNBへ送信してもよい。
【００６０】
通信部１１５は、S1ページングメッセージとともにページング最適化指示を受信した場合eNB１２０へX2ページングメッセージを送信する。通信部１１５は、さらにeNB１１０が形成するセルエリアに在圏する移動端末宛にページングメッセージを送信する。eNB１１０が形成するセルエリアにUE１９０が在圏している場合、通信部１１５とUE１９０の通信部１９２との間に無線回線が設定される。同様に、eNB１２０においてもeNB１２０が形成するセルエリアに在圏する移動端末宛にページングメッセージを送信する。そのため、eNB１２０が形成するセルエリアにUE１９０が在圏している場合、eNB１２０の通信部１２５とUE１９０との間に無線回線が設定される。
【００６１】
eNB１２０を構成するMMEインターフェース１２１、コントローラ１２２、メモリ１２３、基地局インターフェース１２４及び通信部１２５は、eNB１１０の構成要素と同様の機能を有する。そのため詳細な説明を省略する。
【００６２】
続いて、図１４を用いて本発明の実施の形態４にかかる着信時のページング処理の流れについて説明する。はじめに、UE１９０がアイドル状態時に、UE１９０宛のDownlinkデータが発生すると、外部ネットワークと接続されているPDN-GW１７０がDownlinkデータを受信し、PDN-GW１７０は、DownlinkデータをS-GW１６０へ転送する（Ｓ１１）。
【００６３】
次に、S-GW１６０は、Downlinkデータを受信すると、データの着信があった旨を示すDownlink Data NotificationをMME１５０へ送信する（Ｓ１２）。MME １５０は、Downlink Data Notificationを受信すると、応答信号としてDownlink Data Notification AckをS-GW１６０へ送信する（Ｓ１３）。
【００６４】
ここで、MME１５０が、eNB１１０の起動時に受信したS1 Setup RequestにおいてeNBがPaging Optimizationをサポートすることを認識している場合の処理の流れについて図１４の点線で囲まれたＡ部分を用いて説明する。ここで図１４の点線で囲まれたＡ部分はページング最適化指示を送信する場合の処理の流れを示している。MME１５０は、eNB１１０へ送信するS1ページングメッセージのPaging Optimization Indicatorの情報要素に"yes"を設定する（Ｓ１４）。eNB１１０は、Paging Optimization Indicatorの情報要素に"yes"が設定されたS1ページングメッセージを受信すると、自局のセルエリアに在圏する移動端末に対してページングメッセージを送信することに加えて、近隣のeNB（例えば、eNB１２０〜eNB１４０）へX2インターフェースを介してX2ページングメッセージを送信する（Ｓ１５）。
【００６５】
続いて、MME１５０が、eNB１１０〜１４０のいずれもPaging Optimizationをサポートしないことを認識している場合の処理の流れについて図１４の点線で囲まれたＢ部分を用いて説明する。ここで図１４の点線で囲まれたＢ部分は、ページング最適化指示を行わない場合の処理の流れを示している。MME１５０は、eNB１１０〜１４０へ送信するS1ページングメッセージのPaging Optimization Indicatorの情報要素に"No"を設定する（Ｓ１６）。ここで、eNB １１０〜１４０は、Paging Optimization Indicatorの情報要素に"No"が設定されたS1ページングメッセージを受信すると、自局のセルエリアに在圏する移動端末に対してページングメッセージを送信する。また、近隣のeNBに対しては、X2ページングメッセージを送信しない。また、Paging OptimizationをサポートしないeNBは、ページングメッセージのPaging Optimization Indicator情報要素自体を認識しない可能性がある。その場合、eNBはこのPaging Optimization Indicator情報要素を無視し、自局のセルエリアに在圏する移動端末に対してページングメッセージを送信する。
【００６６】
図１４のＢ部分は、例えばeNB１１０〜１４０の一部のeNBがPaging Optimizationをサポートしていない場合に行われる。この場合、図１４のＢ部分に示されるように全てのeNBに対してS1ページングメッセージを送信することによりページングメッセージを受信しないeNBが発生することを防止することができる。図１４のＡ部分は、eNB１１０〜１４０の全てがPaging Optimizationをサポートしている場合もしくはPaging OptimizationをサポートしていないeNBを特定できている場合におこなわれてもよい。
【００６７】
続いて、図１５を用いて本発明の実施の形態４にかかるPaging Optimization Indicatorを追加した場合のページングメッセージ（S1ページングメッセージ及びX2ページングメッセージ）の構成例について説明する。本図においては、Paging Optimization Indicatorの情報要素であるIE type and referenceにENUMERATED（yes,no・・・）と設定する例を示している。ENUMERATED（yes）と設定されている場合、Paging Optimizationをサポートしていることを示し、ENUMERATED（no）と設定されている場合、Paging Optimizationをサポートしていないことを示す。また、ENUMERATED（yes,no・・・）は、ENUMERATED（true,false・・・）と設定されてもよい。
【００６８】
また、Paging Optimization Indicatorがページングメッセージに存在しない場合、ページングメッセージを受信したeNBは、X2インターフェースを介してページングメッセージを近隣eNBへ送信しない。
【００６９】
以上説明したように、MMEは、Paging Optimization IndicatorとともにS1ページングメッセージを送信することにより、S1ページングメッセージを送信するeNBを適切に設定することができる。つまり、MMEは、Paging Optimizationを行わせるeNBにのみS1ページングメッセージを送信することができる。そのため、eNBが、S1ページングメッセージ及びX2ページングメッセージを二重に受信することを防止することができる。これよりeNBが、それぞれのページングメッセージに基づいて重複して移動端末へページング信号を送信することを防止することができる。これにより、無駄に無線リソースを使用することを防ぐことができる。
【００７０】
また、上述した説明においてはPaging Optimization Indicatorとの文言を用いて表現しているが、例えば"X2 Paging可・不可"との文言を用いてもよい。
【００７１】
また、実施の形態４は、実施の形態３と組み合わせて実施されてもよい。これは、実施の形態１及び２を組み合せて実施することと同様である。つまり、MMEが、それぞれのeNBがPaging Optimizationを実施することができるかどうかを把握していない場合、MMEが、Paging Optimization Indicatorの情報要素に"Yes"と設定したS1ページングメッセージをeNBへ送信しても、eNBがPaging Optimizationをサポートしていない場合は、近隣のeNBへX2ページングメッセージが送信されない。そのため、MMEは、Paging OptimizationをサポートしているeNBであると把握した上でPaging Optimization Indicatorの情報要素に"Yes"と設定したS1ページングメッセージをeNBへ送信することにより、全てのeNBへページングメッセージを行き届かせることができる。
【００７２】
（実施の形態５）
続いて、実施の形態５において次に記載する課題を解決する通信システムについて説明する。MME１５０配下のすべてのeNBがPaging Optimizationをサポートしている場合に、MME１５０は、どのeNBがどのeNBと隣接しているかを認識していないと、MME１５０に代行してX2ページングメッセージを近隣eNBに送信させるように指示をするeNBを適切に選択することができない。
【００７３】
＜解決方法１＞
上述した課題を解決するために、図１６Ａに示されるように、eNB１１０が、eNB１１０の近隣eNBリストを設定情報とともにS1 Setup Requestを用いてMME１５０に通知する（Ｓ２１）。近隣eNBリストには、Global eNB ID及びそのeNBが属するTAを識別するTAIの情報要素が含まれる。
【００７４】
次に、MME１５０は、eNB１１０から送信されたeNB及び近隣eNBリストに関する情報を保存する（Ｓ２２）。次に、MME１５０は、eNB１１０へS1 Setup Responseを送信する（Ｓ２３）。MME１５０は、保存した近隣eNBリストを送信したeNB及び近隣eNBリストに関する情報に基づいて、UEへの着信が発生した場合にS1ページングメッセージを送信するeNBを決定する。MME１５０は、ページングメッセージが早く伝搬するように例えば近隣eNBが最も多いeNBへS1ページングメッセージを送信するようにしてもよい。もしくは、MME１５０は、UEが在圏している確率が最も高いeNBへS1ページングメッセージを送信するようにしてもよい。
【００７５】
MME１５０からS1ページングメッセージを受信したeNB１１０は、eNB１１０のセルエリアの移動端末に対してページングメッセージを送信するとともに近隣eNBへX2ページングメッセージを送信する。
【００７６】
ここで、図１７にS1 Setup Requestの情報要素構成例を示す。図１７のS1 Setup Requestには、Neighbour Information、Global eNB ID及びSupported TAsが追加されている。
【００７７】
図１６Ａにおいては、近隣eNBリストがS1 Setup Requestを用いて送信される例について説明したが、ENB CONFIGURATION UPDATEを用いて送信されてもよい。図１８に、ENB CONFIGURATION UPDATEの情報要素構成例を示す。図１８のENB CONFIGURATION UPDATEには、図１７と同様にNeighbour Information、Global eNB ID及びSupported TAsが追加されている。
【００７８】
＜解決方法２＞
上述した課題を解決するために、図１６Ｂに示されるように、MME１５０が送信するS1ページングメッセージに送信先のeNBのリストを追加する。ここで、図１６Ｂに記載する処理の流れについて説明する。
【００７９】
はじめに、UE１９０がアイドル状態時に、UE１９０宛のDownlinkデータが発生すると、外部ネットワークと接続されているPDN-GW１７０がDownlinkデータを受信し、PDN-GW１７０は、DownlinkデータをS-GW１６０へ転送する（Ｓ３１）。
【００８０】
次に、S-GW１６０は、Downlinkデータを受信すると、データの着信があった旨を示すDownlink Data NotificationをMME１５０へ送信する（Ｓ３２）。MME１５０は、Downlink Data Notificationを受信すると、応答信号としてDownlink Data Notification AckをS-GW１６０へ送信する（Ｓ３３）。次に、MME１５０は、eNB１１０へS1ページングメッセージを送信する（Ｓ３４）。ここで、S1ページングメッセージには、MME１５０がS1ページングメッセージを送信したeNBのeNBリストが含まれている。eNBリストには、Global eNB ID及びTAIが含まれている。図１６ＢのステップＳ３４においては、ＴＡＩ＃１、送信先のeNBとしてeNB１１０、eNB２００（不図示）及びeNB２１０（不図示）が示されている。
【００８１】
eNB１１０は、S1ページングメッセージを受信すると、S1ページングメッセージに示されるＴＡＩ＃１に属するが、送信先eNBリストに含まれない近隣eNBへX2ページングメッセージを送信する。eNB１２０〜１４０がＴＡＩ＃１に属するとすると、eNB１１０は、eNB１２０〜１４０へX2ページングメッセージを送信する。このようにしてeNB１１０は、送信先eNBリストを受信することにより、すでにS1ページングメッセージを受信しているeNBに対してX2ページングメッセージを送信することを防止することができる。
【００８２】
＜解決方法３＞
上述した課題を解決するために、解決方法１及び２を組み合わせた処理を実行してもよい。例えば、図１６Ａにおいて説明したように、MME１５０は、近隣eNBリストに基づいてS1ページングメッセージを送信するeNBを決定する。さらに、MME１５０は、S1ページングメッセージの送信先として決定されたeNB１１０に対して、MME１５０がS1ページングメッセージを送信したeNBのeNBリストを含むS1ページングメッセージを送信する。
【００８３】
以上説明したように、解決方法１〜３に記載した処理を実行することによりeNBからMMEに対して近隣eNBリストを通知することにより、MMEは、S1ページングメッセージを送信する適切なeNBを決定することができる。例えば、MMEは、ページングメッセージが早く伝搬するようにeNBを決定することができる。さらに、MMEからeNBに対して、S1ページングメッセージを送信したeNBを通知することにより、eNBは、すでにS1ページングメッセージを受信したeNBに対してX2ページングメッセージを送信することを防止することができる。これにより、通信ネットワーク内において無駄な信号が送信されることを防止することができる。
【００８４】
（実施の形態６）
続いて、図１９を用いて本発明の実施の形態６にかかるページングメッセージ送信手順について説明する。実施の形態６にかかるページングメッセージ送信手順は、eNBにおけるX2ページングメッセージの重複受信を防止することを目的とする。
【００８５】
ステップＳ４１〜Ｓ４３は、図１６ＢのステップＳ３１〜Ｓ３３と同様であるため説明を省略する。ステップＳ４４において、MME１５０は、eNB１１０へS1ページングメッセージを送信する。この時、MME１５０は、ページングメッセージの送信対象となるTAIを有するeNBのうち一つのeNBのみにS1ページングメッセージを送信する。つまり、MME１５０は、同一のTAに属するeNBのうち一つのeNBにのみS1ページングメッセージを送信する。図１９の例においては、TAI#1を有するeNBとしてeNB１１０〜１７０が存在する場合に、MME１５０は、eNB１１０にのみS1ページングメッセージを送信する。また、S1ページングメッセージを受信したeNB１１０は、eNB１１０が形成するセルエリアに在圏する移動端末に対してページングメッセージを送信する
【００８６】
次に、eNB１１０は、TAI#1であるeNB１２０〜１７０の中からX2インターフェースを介して接続されている近隣eNB１２０〜１４０へX2ページングメッセージを送信する（Ｓ４５）。この時、eNB１１０は、X2ページングメッセージの送信先情報をX2ページングメッセージに含めて送信する。例えば、図１９の例においては、eNB１１０は、eNB１２０〜１４０のそれぞれに対してX2ページングメッセージの送信先情報としてeNB１２０〜１４０を通知する。X2ページングメッセージを受信したeNB１２０〜１４０は、それぞれのeNBが形成するセルエリアに在圏する移動端末に対してページングメッセージを送信する。
【００８７】
次に、X2ページングメッセージを受信したeNB１２０は、さらにX2インターフェースを介して接続されている近隣eNB１５０〜１７０へX2ページングメッセージを送信する（Ｓ４６）。X2ページングメッセージを受信したeNB１５０〜１７０は、それぞれのeNBが形成するセルエリアに在圏する移動端末に対してページングメッセージを送信する。さらに、ステップＳ４５と同様に、eNB１２０は、eNB１５０〜１７０のそれぞれに対してX2ページングメッセージの送信先情報としてeNB１５０〜１７０を通知する。
【００８８】
続いて図２０に、ページングメッセージ（例えばX2ページングメッセージ）の情報要素構成例を示す。図２０のページングメッセージには、List of eNBsの情報要素が追加されており、List of eNBsに送信先のeNBに関する情報を設定する。
【００８９】
以上説明したように、eNBは、X2ページングメッセージを送信する際に、X2ページングメッセージの送信先情報も併せて通知する。これにより、X2ページングメッセージを受信したeNBが、さらに近隣のeNBに対してX2ページングメッセージを送信する際に、すでにX2ページングメッセージを受信しているeNBについてはX2ページングメッセージの送信対象から除外することができる。これにより、eNBは、重複してX2ページングメッセージを受信することを回避することができる。
【００９０】
例えば、図１９の例において、eNB１２０は、X2インターフェースを介してeNB１１０及びeNB１３０〜１７０と接続されている場合について説明する。この場合、eNB１２０が、X2ページングメッセージをeNB１２０〜１４０へ送信したことをeNB１１０から通知されると、eNB１２０は、X2ページングメッセージの送信対象からeNB１３０及び１４０を除外することができる。これにより、eNB１３０及び１４０は、重複してX2ページングメッセージを受信することを回避することができる。
【００９１】
（実施の形態７）
続いて、図２１を用いて本発明の実施の形態７にかかる通信システムの構成例について説明する。図２１の通信システムは、図８の通信システムにおけるeNB１１０〜１４０をHeNB（Home eNode B）２０１〜２０８に置き換え、さらにHeNB２０１〜２０４を集約するためにHeNB-GW（HeNB-Gateway）２１０を配置し、HeNB２０５〜２０８を集約するためにHeNB-GW２１１を配置している。図２１のその他の構成は、図８と同様である。HeNBは、LTEアーキテクチャにおいて自宅内等に設置され狭い範囲をカバーする基地局として用いられる。
【００９２】
HeNB-GW２１０及びS-GW１６０並びにHeNB-GW２１０及びMME１５０の間のインターフェースは、S1インターフェースと規定されている。HeNB-GW２１１及びS-GW１６０並びにHeNB-GW２１１及びMME１５０の間のインターフェースも同様にS1インターフェースと規定されている。さらに、HeNB-GW及びHeNBの間のインターフェースも、S1インターフェースと規定されている。HeNB-GW間及びHeNB間のインターフェースは、X2インターフェースと規定されている。
【００９３】
また、図２１においてはHeNB２０１〜２０８を集約するためにHeNB-GW２１０及び２１１を配置しているが、HeNB-GW２１０および２１１を配置しない場合もある。その場合の通信システムは、図８の通信システムにおけるeNB１１０〜１４０をHeNB２０１〜２０８に置き換えた通信システムとなる。
【００９４】
続いて、図２２は、図２１の通信システムにおけるページングメッセージ送信処理の流れを示している。ステップＳ５１〜Ｓ５３は、図１４のステップＳ１１〜Ｓ１３と同様であるため詳細な説明を省略する。さらに、ステップＳ５４及びＳ５５は、図１４のステップＳ１４と同様であり、ステップＳ５６は、図１４のステップＳ１５と同様であるため詳細な説明を省略する。
【００９５】
ここで、HeNB-GW２１０は、ステップＳ５４においてS1ページングメッセージを受信すると、MME１５０に代行して他のHeNB-GW（例えば、HeNB-GW２１１）へX2ページングメッセージを送信してもよい。
【００９６】
以上説明したように、HeNBを有する通信システムにおいても、Paging Optimizationを動作させることができる。
【００９７】
（実施の形態８）
続いて、図２３を用いて本発明の実施の形態８にかかる通信システムの構成例について説明する。図２３の通信システムは、HNB（Home Node B）３０１〜３０８、HNB-GW（HNB-Gateway）３１０、HNB-GW３１１及びCN（Core Network）３２０を有している。CN３２０は、SGSN（Serving General packet radio service Support Node）、GGSN（Gateway General packet radio service Support Node）及びMSC（Mobile Switching Center）といった3GPPにおいて規定されているネットワーク装置を含む。HNBは、3GPPの規定するネットワークにおいて自宅等に設置され狭い範囲をカバーする基地局として用いられる。HNBは、例えばフェムト基地局と称される。
【００９８】
HNB-GW及びCN間のインターフェースは、Iuインターフェースと規定されている。HNB-GW間のインターフェースは、Iurhインターフェースと規定されている。HNB及びHNB-GW間のインターフェースは、Iuhインターフェースと規定されている。HNB間のインターフェースは、Iurhインターフェースと規定されている。
【００９９】
図２３の通信ネットワークにおいては、図２１の通信ネットワークとは異なりHNB-GW３１０もしくはHNB-GW３１１からCN３２０に対して送信するメッセージとして、S1 Setup Requestに対応するメッセージが存在しない。そのため、CN３２０は、オペレータによってHNB３０１〜３０８及びHNB-GW３１０〜３１１がPaging Optimizationをサポートしているか否かを設定される。
【０１００】
続いて、図２４は、図２３の通信システムにおけるページングメッセージ送信処理の流れを示している。ステップＳ６１は、図２２のステップＳ５１に相当し、ステップＳ６２〜Ｓ６４は、図２２のステップＳ５４〜Ｓ５６に相当するため、詳細な説明を省略する。
【０１０１】
ここで、図２３の通信システムにおいては、オペレータの手動によってHNB及びHNB-GWがPaging Optimizationをサポートするか否かをCN３２０に設定される。しかし、HNBの数が増加した場合全てのHNBに関してPaging Optimizationをサポートするか否かをCN３２０に設定することができない場合がある。このような場合、CN３２０からHNB-GW３１０、３１１へ送信されるページングメッセージ（以下、Iuページングメッセージ）には、Paging Optimization Indicatorは含まれない。
【０１０２】
一方、HNBのスタートアップ時に実行されるHNBからHNB-GWへ登録処理において、HNBは、HNB Registrationメッセージを用いてHNBがPaging OptimizationをサポートするかどうかをHNB-GWへ登録することができる。このような場合、HNB-GW３１０もしくは３１１は、CN３２０から送信されるIuページングメッセージに、Paging Optimization Indicatorが設定されなくとも、HNB-GW３１０もしくは３１１が、Paging Optimization Indicatorを設定してHNBへページングメッセージ（以下、Iuhページングメッセージ）を送信することができる。
【０１０３】
（実施の形態９）
続いて、図２５を用いて本発明の実施の形態９にかかる通信システムの構成例について説明する。図２５の通信システムは、NB（Node B）４０１〜４０８、RNC（Radio Network Controller）４１０、RNC４１１及びCN４２０を有している。CN４２０は、CN３２０と同様に、SGSN、GGSN及びMSCといった3GPPにおいて規定されているネットワーク装置を含む。
【０１０４】
RNC及びCN間のインターフェースは、Iuインターフェースと規定されている。RNC間のインターフェースは、Iurインターフェースと規定されている。RNC及びNB間のインターフェースは、Iubインターフェースと規定されている。図２５の通信システムにおけるページングメッセージ送信処理は、図２４におけるページングメッセージ送信処理と同様であるため詳細な説明を省略する。また、図２５においては、NB４０１〜４０８及びCN４２０の間にRNC４１０及び４１１を配置した通信システムについて説明したが、図２６に示すように、RNCが省略される場合もある。この場合、NB及びCN間のインターフェースは、Iuインターフェースと規定される。さらに、NB間のインターフェースは、Iurインターフェースと規定される。このような場合においても、図２４におけるページングメッセージ送信処理を適用することができる。
【０１０５】
（実施の形態１０）
続いて、図２７を用いて本発明の実施の形態１０にかかる通信システムの構成例について説明する。図２７の通信システムは、図２１の通信システムにおけるHeNB２０５〜２０８及びHeNB-GW２１１をRN（Relay Node）５２１〜５２４及びDeNB（Donor eNB）５３０に置き換えた構成である。RNは、eNBのカバレッジを拡大するためにeNBと無線通信を用いて接続され、UEとeNB間の通信を中継する装置である。DeNBは、RNが接続されるeNBである。RN及びDeNB間のインターフェースは、Unインターフェースと規定されているが、RNは、eNBと同じようにS1インターフェース及びX2インターフェースをサポートする。但し、RN間にはX2インターフェースはサポートされていない。RNにおけるX2インターフェースは、DeNBとの間の通信に用いられる。
【０１０６】
ここで、MME１５０から送信されるS1ページングメッセージがRN５２１に転送された場合、RN５２１がX2インターフェースを介してDeNB５３０へX2ページングメッセージを送信し、DeNB５３０からRN５２２〜５２４へX2ページングメッセージを送信することが考えられる。しかし、このようにRNが、DeNBを経由して近隣のRNへX2ページングメッセージを送信することは、DeNB５３０及びRN間の無線リソースを使用するだけでメリットはない。
【０１０７】
したがって、DeNB５３０は、MME１５０からPaging Optimization Indicator情報要素に"yes"もしくは"true"が設定されたS1ページングメッセージを受信した場合、Paging Optimization Indicator情報要素に"no"もしくは"false"を設定してRN５２１〜５２４に対してページングメッセージを送信する。もしくは、DeNB５３０は、Paging Optimization Indicator情報要素を設定しないでRN５２１〜５２４に対してページングメッセージを送信する。
【０１０８】
RNを有する通信システムにおいては、上述したようにPaging Optimization Indicator情報要素を設定することにより、DeNB５３０及びRN間の無線リソースを無駄に使用することを防止することができる。
【０１０９】
（その他の実施の形態）
上述の実施の形態においては、RAN（Radio Access Network） nodeであるeNB、HeNB、HeNB-GW及びRNが、MMEもしくは上位ノードにPaging Optimization Indicatorを送信し、自装置がPaging Optimizationをサポートしているか否かを通知している。これに対して、MMEもしくは上位ノードにおいて、配下の装置がPaging Optimizationをサポートしているか否かを把握するために、オペレータの設定即ちO&M（もしくはOAM：Operation and Maintenance）設定によってMMEもしくは上位ノードが、RAN nodeのPaging Optimizationのサポート状況を把握するようにしてもよい。
【０１１０】
なお、本発明は上記実施の形態に限られたものではなく、趣旨を逸脱しない範囲で適宜変更することが可能である。
【０１１１】
上述した本発明の説明において、当業者が効率的に理解できるようにするために、本発明は３ＧＰＰ（Third Generation Partnership Project）に関連するシステムとの関連で詳述される。しかし、そのページング処理の原理は、他のシステム、たとえば、他のＣＤＭＡ、ＷＩＭＡＸまたは無線システムに適用することができる。
【０１１２】
なお、上記実施形態では、基地局が上位ノードに対して、自局の能力情報通知するようにした。しかし他の方法により実現することも可能である。具体的には、基地局を管理するＯ＆Ｍ機能を有するノードが、基地局から能力情報を収集し、ＭＭＥに伝えるように構成するようにしてもよい。
【０１１３】
さらに、上述の実施の形態では、ハードウェアの構成として説明したが、これに限定されるものではなく、基地局又は上位ノードにおける処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１４】
以上、実施の形態を参照して本願発明を説明したが、本願発明は上記によって限定されるものではない。本願発明の構成や詳細には、発明のスコープ内で当業者が理解し得る様々な変更をすることができる。
【０１１５】
この出願は、２０１２年８月２１日に出願された日本出願特願２０１２−１８２２３５を基礎とする優先権を主張し、その開示の全てをここに取り込む。
【符号の説明】
【０１１６】
１０  基地局
１１  制御部
１２  通信部
１３  上位ノードインターフェース
１４  基地局インターフェース
２０  上位ノード
２１  制御部
２２  通信部
４０  基地局
５０  移動端末
５１  制御部
５２  通信部
５３  アンテナ
１１０〜１４０  eNB
１１１  MMEインターフェース
１１２  コントローラ
１１３  メモリ
１１４  基地局インターフェース
１１５  通信部
１２１  MMEインターフェース
１２２  コントローラ
１２３  メモリ
１２４  基地局インターフェース
１２５  通信部
１５０  MME
１５１  eNBインターフェース
１５２  コントローラ
１５３  メモリ
１６０  S-GW
１７０  PDN-GW
１８０  IP Service
１９０  UE
３０１〜３０８  HNB
３１０、３１１  HNB-GW
３２０  CN
４０１〜４０８  NB
４１０、４１１  RNC
４２０  CN
５２１〜５２４  RN
５３０  DeNB
【図１】
2014030274.tif 000003
【図２】
2014030274.tif 000004
【図３】
2014030274.tif 000005
【図４】
2014030274.tif 000006
【図５】
2014030274.tif 000007
【図６】
2014030274.tif 000008
【図７】
2014030274.tif 000009
【図８】
2014030274.tif 000010
【図９】
2014030274.tif 000011
【図１０】
2014030274.tif 000012
【図１１】
2014030274.tif 000013
【図１２】
2014030274.tif 000014
【図１３】
2014030274.tif 000015
【図１４】
2014030274.tif 000016
【図１５】
2014030274.tif 000017
【図１６Ａ】
2014030274.tif 000018
【図１６Ｂ】
2014030274.tif 000019
【図１７】
2014030274.tif 000020
【図１８】
2014030274.tif 000021
【図１９】
2014030274.tif 000022
【図２０】
2014030274.tif 000023
【図２１】
2014030274.tif 000024
【図２２】
2014030274.tif 000025
【図２３】
2014030274.tif 000026
【図２４】
2014030274.tif 000027
【図２５】
2014030274.tif 000028
【図２６】
2014030274.tif 000029
【図２７】
2014030274.tif 000030
【図２８】
2014030274.tif 000031
【図２９】
2014030274.tif 000032
【図３０】
2014030274.tif 000033
【図３１】
2014030274.tif 000034
【図３２】
2014030274.tif 000035
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
基地局と、前記基地局と通信する上位ノードとを有する通信システムであって、
前記基地局は、
前記上位ノードから送信されるページングメッセージを他の基地局に送信することができるか否かを示す設定情報を前記上位ノードに送信し、
前記上位ノードは、
前記基地局から前記設定情報を受信する、通信システム。
【請求項２】
前記基地局は、
起動する際に前記設定情報を前記上位ノードへ送信する、請求項１に記載の通信システム。
【請求項３】
前記基地局は、
隣接する前記他の基地局に関する情報を含む隣接基地局リスト情報を前記上位ノードに送信する、請求項１又は２に記載の通信システム。
【請求項４】
前記隣接基地局リスト情報は、前記他の基地局が属する位置登録エリア情報を含む、請求項３に記載の通信システム。
【請求項５】
前記基地局は、
搭載されるソフトウェアをアップグレードすることにより前記設定情報に示される情報が変更された場合、前記変更された設定情報を前記上位ノードへ送信する、請求項１乃至４のいずれか１項に記載の通信システム。
【請求項６】
前記上位ノードは、
前記基地局から受信した前記設定情報に基づいて、前記ページングメッセージを前記他の基地局へ送信させるか否かを示すページング制御情報を生成し、前記ページング制御情報を前記基地局へ送信する、請求項１乃至５のいずれか１項に記載の通信システム。
【請求項７】
前記上位ノードは、
前記基地局から受信した前記設定情報に前記上位ノードから送信されるページングメッセージを他の基地局に送信することができることが示されている場合、前記ページングメッセージを前記他の基地局へ送信させることを示すページング制御情報を前記基地局へ送信する、請求項６に記載の通信システム。
【請求項８】
前記上位ノードは、
前記基地局から受信した前記設定情報に前記上位ノードから送信されるページングメッセージを他の基地局に送信することができないことが示されている場合、前記ページングメッセージを前記他の基地局へ送信させないことを示すページング制御情報を前記基地局へ送信する、請求項６又は７に記載の通信システム。
【請求項９】
前記上位ノードは、
前記基地局から受信した前記設定情報に前記上位ノードから送信されるページングメッセージを他の基地局に送信することができないことが示されている場合、前記ページングメッセージを同一の位置登録エリアに属する全ての基地局に送信する、請求項８に記載の通信システム。
【請求項１０】
上位ノードと通信する基地局であって、
前記上位ノードから送信されるページングメッセージを他の基地局に送信することができるか否かを示す設定情報を前記上位ノードに送信する通信手段を備える、基地局。
【請求項１１】
前記通信手段は、
自装置を起動する際に、前記設定情報を前記上位ノードへ送信する、請求項１０に記載の基地局。
【請求項１２】
前記通信手段は、
隣接する前記他の基地局に関する情報を含む隣接基地局リスト情報を前記上位ノードに送信する、請求項１０又は１１に記載の基地局。
【請求項１３】
前記隣接基地局リスト情報は、前記他の基地局が属する位置登録エリア情報を含む、請求項１２に記載の基地局。
【請求項１４】
前記通信手段は、
自装置に搭載されるソフトウェアをアップグレードすることにより前記設定情報に示される情報が変更された場合に、前記変更された設定情報を前記上位ノードへ送信する、請求項１０乃至１３のいずれか１項に記載の基地局。
【請求項１５】
基地局と通信する上位ノードであって、
前記上位ノードから前記基地局へ送信されたページングメッセージを他の基地局に送信することができるか否かを示す設定情報を前記基地局から受信する通信手段を備える、上位ノード。
【請求項１６】
前記設定情報に基づいて、前記ページングメッセージを前記他の基地局へ送信させるか否かを示すページング制御情報を生成する制御手段をさらに備え、
前記通信手段は、
前記ページング制御情報を前記基地局へ送信する、請求項１５に記載の上位ノード。
【請求項１７】
前記制御手段は、
前記基地局から受信した前記設定情報に前記上位ノードから送信されるページングメッセージを他の基地局に送信することができることが示されている場合、前記ページングメッセージを前記他の基地局へ送信させることを示すページング制御情報を生成する、請求項１６に記載の上位ノード。
【請求項１８】
前記基地局から受信した前記設定情報に前記上位ノードから送信されるページングメッセージを他の基地局に送信することができないことが示されている場合、前記ページングメッセージを前記他の基地局へ送信させないことを示すページング制御情報を生成する、請求項１６又は１７に記載の上位ノード。
【請求項１９】
前記通信手段は、
前記基地局から受信した前記設定情報に前記上位ノードから送信されるページングメッセージを他の基地局に送信することができないことが示されている場合、前記ページングメッセージを同一の位置登録エリアに属する全ての基地局に送信する、請求項１８に記載の上位ノード。
【請求項２０】
上位ノードから送信されるページングメッセージを他の基地局に送信することができるか否かを示す設定情報を生成し、
前記設定情報を前記上位ノードに送信する、通信方法。
【請求項２１】
前記設定情報に基づいて、前記ページングメッセージを他の基地局に送信させるか否かを示すページング制御情報を基地局へ送信する、請求項２０に記載の通信方法。
【請求項２２】
基地局と通信する通信部を有し、
前記基地局は、上位ノードから送信されるページングメッセージを他の基地局に送信することが出来るか否かを示す設定情報を前記上位ノードに送信する、
端末装置。
【国際調査報告】
2014030274.tif 000036
2014030274.tif 000037